(57)【特許請求の範囲】
【請求項１】
冷蔵室に隣接して冷凍室が配され、
冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータとを有した冷蔵庫において、
冷蔵庫の置かれた外気温度を測定する外気温度センサと、
外気温度センサで測定した外気温度が所定温度以下になった場合の第１の条件と、冷蔵用蒸発器に冷媒が流れていない冷蔵室が無冷却中になった場合の第２の条件の２つの条件が満たされた時に冷蔵ファンを回転させる第１冷蔵撹拌モードを行う第１制御手段とを有し、
第１制御手段は、
第１の条件と第２の条件が満たされ、さらに、隣接する冷凍室の温度が所定温度以下になった場合の第３の条件が満たされた時に第１冷蔵撹拌モードを行う
ことを特徴とする冷蔵庫。
【請求項２】
第１制御手段は、
第１冷蔵撹拌モードにおいて、
冷蔵ファンを低速回転、または、断続的に回転させる
ことを特徴とする請求項１記載の冷蔵庫。
【請求項３】
冷蔵室に隣接して冷凍室が配され、
冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、
冷凍用蒸発器に冷媒を流して冷凍室が冷却されている場合の第４の条件が満たされた時に、冷蔵用蒸発器の除霜ヒータを動作させ、かつ、冷蔵ファンを回転させる第２冷蔵撹拌モードを行う第２制御手段を有した
ことを特徴とする冷蔵庫。
【請求項４】
冷蔵庫の置かれた外気温度を測定する外気温度センサを有し、
第２制御手段は、
第４の条件と、さらに、外気温度センサで測定した外気温度が所定温度以下になった場合の第５の条件との２つの条件が満たされた時に第２冷蔵撹拌モードを行う
ことを特徴とする請求項３記載の冷蔵庫。
【請求項５】
冷蔵室に隣接して冷凍室が配され、
冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、
冷蔵室が冷蔵用蒸発器に冷媒が流れていない無冷却中になった場合の条件が満たされた時に、冷蔵用蒸発器の除霜ヒータを動作させ、かつ、冷蔵ファンを回転させる第２冷蔵撹拌モードを行う第２制御手段を有し、
第２制御手段は、
前記条件と、さらに、冷蔵室の温度が一定時間以内に所定温度まで下降した場合の第６の条件が満たされた時に、第２冷蔵撹拌モードを行う
ことを特徴とする冷蔵庫。
【請求項６】
冷蔵用蒸発器の温度を測定する除霜センサを有し、
第２制御手段は、
除霜センサが所定温度に到達した時に、第２冷蔵撹拌モードを終了する
ことを特徴とする請求項３記載の冷蔵庫。
【請求項７】
第２制御手段は、
第２冷蔵撹拌モードを一定時間行う
ことを特徴とする請求項３記載の冷蔵庫。
【請求項８】
冷蔵室に隣接して冷凍室が配され、
冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、
冷蔵室が冷蔵用蒸発器に冷媒が流れていない無冷却中になった時に、冷蔵用蒸発器の除霜ヒータを動作させ、かつ、冷蔵ファンを回転させる第２冷蔵撹拌モードを行う第２制御手段を有し、
第２制御手段は、
第２冷蔵撹拌モードにおいて、
冷蔵室の冷却終了設定温度を、通常運転中の冷却終了設定温度より高く設定する
ことを特徴とする冷蔵庫。
【請求項９】
冷蔵室に隣接して冷凍室が配され、
冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、
冷蔵室が冷蔵用蒸発器に冷媒が流れていない無冷却中になった時に、冷蔵用蒸発器の除霜ヒータを動作させ、かつ、冷蔵ファンを回転させる第２冷蔵撹拌モードを行う第２制御手段を有し、
第２制御手段は、
第２冷蔵撹拌モードにおいて、
冷蔵室の冷却開始設定温度を、通常運転中の冷却開始設定温度より高く設定する
ことを特徴とする冷蔵庫。
【請求項１０】
第２制御手段は、
第２冷蔵撹拌モードにおいて、
冷蔵室の冷却開始設定温度を、通常運転中の冷却開始設定温度より高く設定する時間を第２冷蔵撹拌モード開始後一定時間とする
ことを特徴とする請求項９記載の冷蔵庫。
【請求項１１】
第２制御手段は、
第２冷蔵撹拌モードにおいて、
冷蔵用蒸発器の除霜ヒータへの入力値を可変制御する
ことを特徴とする請求項３記載の冷蔵庫。
【請求項１２】
第２制御手段は、
第２冷蔵撹拌モードにおいて、
冷蔵用蒸発器の除霜ヒータは断続的に動作させる
ことを特徴とする請求項３記載の冷蔵庫。
【請求項１３】
第２制御手段は、
第２冷蔵撹拌モードにおいて、
冷蔵ファンを低速回転、または、断続的に回転させる
ことを特徴とする請求項３記載の冷蔵庫。
【請求項１４】
冷蔵室に隣接して冷凍室が配され、
冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、
冷蔵室が冷蔵用蒸発器に冷媒が流れていない無冷却中になった時に、冷蔵用蒸発器の除霜ヒータを動作させ、かつ、冷蔵ファンを回転させる第２冷蔵撹拌モードを行う第２制御手段を有し、
第２冷蔵撹拌モードにおいて、
冷蔵ファンを逆回転させ、暖気を冷蔵室に流す
ことを特徴とする冷蔵庫。
【発明の詳細な説明】
【０００１】
【発明の属する技術分野】
本発明は、２つの蒸発器を持つ冷蔵庫に関するものである。
【０００２】
【従来の技術】
図８は従来の冷蔵庫９０の断面図を示し、図９はその冷蔵庫９０の冷気の流れを示したものである。図８に示すように冷蔵庫９０のキャビネットには、上から順番に冷蔵室９１、野菜室９４、冷凍室９２が設けられている。
【０００３】
蒸発器９５で作られた冷気は冷凍室９２を冷却し、その一部は冷気の流れを制御するダンパ９６を通り冷蔵室９１に流れる。そして、冷蔵室９１に流れた冷気は野菜室９４に流れ、蒸発器９５に戻り再び冷却され庫内を循環する。
【０００４】
【発明が解決しようとする課題】
冷蔵庫９０が置かれた部屋の外気温が低くくなると、冷蔵室９１は外気との温度差が小さくなり、その熱的な負荷は小さくなって、冷蔵室９１及び野菜室９４を冷却するための必要量は小さくなる。したがって、これら冷蔵室９１及び野菜室９４に冷気を流す時間の比率は少なくなる。
【０００５】
冷蔵室９１及び野菜室９４に冷気が流れなくなると、冷蔵室９１における温度分布は、不均一になり、上方が高く、下方が低くなる。
【０００６】
また、野菜室９４においては、冷凍室９２と隣接しているため、野菜室９４の底部側から冷却され、野菜室９４の温度は必要以上に低くなってしまう。そのため、野菜室９４と冷凍室９２を仕切る断熱性の仕切部９３にヒータ９８を設置し、このヒータ９８を通電することにより野菜室９４の温度保証を行っている。
【０００７】
上記のように、従来の冷蔵庫９０では、外気温が低くなると冷蔵室９１の温度分布が不均一になるという問題点があり、また、野菜室９４に特別なヒータ９８を設ける必要があるため、コストが上昇するという問題点があった。
【０００８】
そこで、本発明は上記問題点に鑑み、外気温が低くなっても冷蔵室の温度分布が均一となり、また、野菜室などに特別のヒータを設ける必要のない冷蔵庫を提供するものである。
【００１０】
請求項１に係る発明は、冷蔵室に隣接して冷凍室が配され、冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータとを有した冷蔵庫において、冷蔵庫の置かれた外気温度を測定する外気温度センサと、外気温度センサで測定した外気温度が所定温度以下になった場合の第１の条件と、冷蔵用蒸発器に冷媒が流れていない冷蔵室が無冷却中になった場合の第２の条件の２つの条件が満たされた時に冷蔵ファンを回転させる第１冷蔵撹拌モードを行う第１制御手段とを有し、第１制御手段は、第１の条件と第２の条件が満たされ、さらに、隣接する冷凍室の温度が所定温度以下になった場合の第３の条件が満たされた時に第１冷蔵撹拌モードを行うことを特徴とする冷蔵庫。
【００１１】
請求項２に係る発明は、第１制御手段は、第１冷蔵撹拌モードにおいて、冷蔵ファンを低速回転、または、断続的に回転させることを特徴とする請求項１記載の冷蔵庫。
【００１２】
請求項３に係る発明は、冷蔵室に隣接して冷凍室が配され、冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、冷凍用蒸発器に冷媒を流して冷凍室が冷却されている場合の第４の条件が満たされた時に、冷蔵用蒸発器の除霜ヒータを動作させ、かつ、冷蔵ファンを回転させる第２冷蔵撹拌モードを行う第２制御手段を有したことを特徴とする冷蔵庫。
【００１３】
請求項４に係る発明は、冷蔵庫の置かれた外気温度を測定する外気温度センサを有し、第２制御手段は、第４の条件と、さらに、外気温度センサで測定した外気温度が所定温度以下になった場合の第５の条件との２つの条件が満たされた時に第２冷蔵撹拌モードを行うことを特徴とする請求項３記載の冷蔵庫。
【００１４】
請求項５に係る発明は、冷蔵室に隣接して冷凍室が配され、冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、冷蔵室が冷蔵用蒸発器に冷媒が流れていない無冷却中になった場合の条件が満たされた時に、冷蔵用蒸発器の除霜ヒータを動作させ、かつ、冷蔵ファンを回転させる第２冷蔵撹拌モードを行う第２制御手段を有し、第２制御手段は、前記条件と、さらに、冷蔵室の温度が一定時間以内に所定温度まで下降した場合の第６の条件が満たされた時に、第２冷蔵撹拌モードを行うことを特徴とする冷蔵庫。
【００１５】
請求項６に係る発明は、冷蔵用蒸発器の温度を測定する除霜センサを有し、第２制御手段は、除霜センサが所定温度に到達した時に、第２冷蔵撹拌モードを終了することを特徴とする請求項３記載の冷蔵庫。  請求項７に係る発明は、第２制御手段は、第２冷蔵撹拌モードを一定時間行うことを特徴とする請求項３記載の冷蔵庫。
【００１６】
請求項８に係る発明は、冷蔵室に隣接して冷凍室が配され、冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、冷蔵室が冷蔵用蒸発器に冷媒が流れていない無冷却中になった時に、冷蔵用蒸発器の除霜ヒータを動作させ、かつ、冷蔵ファンを回転させる第２冷蔵撹拌モードを行う第２制御手段を有し、第２制御手段は、第２冷蔵撹拌モードにおいて、冷蔵室の冷却終了設定温度を、通常運転中の冷却終了設定温度より高く設定することを特徴とする冷蔵庫。
【００１７】
請求項９に係る発明は、冷蔵室に隣接して冷凍室が配され、冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、冷蔵室が冷蔵用蒸発器に冷媒が流れていない無冷却中になった時に、冷蔵用蒸発器の除霜ヒータを動作させ、かつ、冷蔵ファンを回転させる第２冷蔵撹拌モードを行う第２制御手段を有し、第２制御手段は、第２冷蔵撹拌モードにおいて、冷蔵室の冷却開始設定温度を、通常運転中の冷却開始設定温度より高く設定することを特徴とする冷蔵庫。  請求項１０に係る発明は、第２制御手段は、第２冷蔵撹拌モードにおいて、冷蔵室の冷却開始設定温度を、通常運転中の冷却開始設定温度より高く設定する時間を第２冷蔵撹拌モード開始後一定時間とすることを特徴とする請求項９記載の冷蔵庫。  請求項１１に係る発明は、第２制御手段は、第２冷蔵撹拌モードにおいて、冷蔵用蒸発器の除霜ヒータへの入力値を可変制御することを特徴とする請求項３記載の冷蔵庫。
【００１８】
請求項１２に係る発明は、第２制御手段は、第２冷蔵撹拌モードにおいて、冷蔵用蒸発器の除霜ヒータは断続的に動作させることを特徴とする請求項３記載の冷蔵庫。
【００１９】
請求項１３に係る発明は、第２制御手段は、第２冷蔵撹拌モードにおいて、冷蔵ファンを低速回転、または、断続的に回転させることを特徴とする請求項３記載の冷蔵庫。
【００２０】
請求項１４に係る発明は、冷蔵室に隣接して冷凍室が配され、冷蔵室に対応した冷蔵用蒸発器と、冷凍室に対応した冷凍用蒸発器と、冷蔵用蒸発器で冷却された空気を冷蔵室に送風する冷蔵ファンと、冷凍用蒸発器の除霜ヒータと冷蔵用蒸発器の除霜ヒータとを有した冷蔵庫において、冷蔵室が冷蔵用蒸発器に冷媒が流れていない無冷却中になった時に、冷蔵用蒸発器の除霜ヒータを動作させ、かつ、冷蔵ファンを回転させる第２冷蔵撹拌モードを行う第２制御手段を有し、第２冷蔵撹拌モードにおいて、冷蔵ファンを逆回転させ、暖気を冷蔵室に流すことを特徴とする冷蔵庫。
【００２２】
請求項１の冷蔵庫であると、隣接する冷凍室の温度が所定温度より低くなる第３の条件が満たされても、第１冷蔵撹拌モードを第１制御手段が行うことにより、冷蔵室の冷気が撹拌され、温度が下がらず庫内温度が均一となってその影響が冷蔵室に現れない。
【００２３】
請求項２の冷蔵庫であると、冷蔵ファンの回転数を低速にするか、または、断続的に回転させても、冷蔵室の冷気を充分に撹拌することができる。
【００２４】
請求項３の冷蔵庫であると、隣接する冷凍室の温度が低くなって第４の条件が満たされ、除霜ヒータを動作させ、かつ、冷蔵ファンを回転させる第２冷蔵撹拌モードを行うことにより、暖気が冷蔵室内部に送り込まれ撹拌され、庫内温度が均一となってその影響が冷蔵室に現れない。
【００２５】
請求項４の冷蔵庫であると、外気温度が所定温度以下になった第５の条件を満たした場合であっても、第２冷蔵撹拌モードを行うことにより、冷蔵室内部に暖かい空気が送り込まれて撹拌されるので、冷蔵室の庫内温度が必要以上に低くなることがなく、かつ、撹拌されて均一となる。
【００２６】
請求項５の冷蔵庫であると、第４の条件が満たされ、さらに、冷蔵室温度が一定時間以内に所定温度まで下降した場合の第６の条件が満たされたときに、第２冷蔵撹拌モードを行うことにより、冷蔵室内部に暖気が送り込まれて庫内の空気が撹拌されるので、冷蔵室内部の温度が必要以上に下がらず、かつ、均一な温度分布となる。
【００２７】
請求項６の冷蔵庫であると、除霜センサが所定温度に到達したときに、第２冷蔵撹拌モードを終了するため、冷蔵室内部に暖気が必要以上に送り込まれて冷蔵室の温度が必要以上に上昇することがない。
【００２８】
請求項７の冷蔵庫であると、第２冷蔵撹拌モードを一定時間行うだけであるため、冷蔵室内部に暖気が必要以上に送り込まれて冷蔵室の温度が必要以上に上昇することがない。
【００２９】
請求項８の冷蔵庫であると、暖気が冷蔵室内に送り込まれて冷蔵室の温度が高くなると、通常より高い冷却終了設定温度にすぐ到達するため、冷蔵室の冷却終了設定温度を通常運転中の冷却終了設定温度より高く設定することにより、冷蔵室の温度が必要以上に上昇することがない。
【００３０】
請求項９の冷蔵庫であると、冷蔵室の冷却開始設定温度を、通常運転中の冷却開始設定温度より高く設定することにより、暖気が冷蔵室内に送り込まれても冷却開始設定温度に到達しないため、冷却が開始されない。
【００３１】
請求項１０の冷蔵庫であると、冷蔵室の冷却開始設定温度を、通常運転中の冷却開始設定温度より高く設定する時間を、第２冷蔵撹拌モード開始後一定時間とすることにより、冷蔵室内の温度が必要以上に上昇することがない。
【００３２】
請求項１１の冷蔵庫であると、第２制御手段は、冷蔵用蒸発器の除霜ヒータへの入力値を可変制御することにより、常に最適のヒータ温度に保つことができる。
【００３３】
請求項１２の冷蔵庫であると、第２制御手段は冷蔵用蒸発器の除霜ヒータを断続的に動作させることにより、常に最適なヒータ温度とすることができる。
【００３４】
請求項１３の冷蔵庫であると、暖気を冷蔵室内に送り撹拌するだけであるため、冷蔵ファンを低速回転、または、断続的に回転させる。
【００３５】
請求項１４の冷蔵庫であると、冷蔵ファンを第２冷蔵撹拌モードにおいて逆回転させることにより、暖気の流れが冷気の流れとは全く逆になるため、より確実に撹拌を行うことができる。
【００３６】
【発明の実施の形態】
以下、本発明の一実施例の冷蔵庫１０について図面に基づいて説明する。
【００３７】
図１は冷蔵庫１０の簡略した縦断面図であり、電気系統の説明も兼ねた図である。また、図２は冷蔵庫１０の冷凍サイクルの説明図である。
【００３８】
まず、図１に基づいて説明する。
【００３９】
冷蔵庫１０のキャビネット１２には、上段から冷蔵室１４、野菜室１６、冷凍室１８が設けられている。なお、この冷凍室１８には、不図示の製氷装置が設けられている。
【００４０】
冷凍室１８の背面底部には、圧縮機２０が配される機械室２２が設けられている。また、冷凍室１８の後方には、冷凍室用蒸発器（以下、Ｆエバという）２４が配され、Ｆエバ２４の上方には、Ｆエバ２４で発生した冷気を冷凍室１８に送風する冷凍室用ファン（以下、Ｆファンという）２６が設けられている。Ｆエバ２４の下方には、Ｆエバ２４の除霜を行う場合の除霜ヒータ（以下、Ｆ除霜ヒータという）２８が設けられている。Ｆエバ２４の上部近傍には、Ｆエバ２４の温度を検知するためのＦエバセンサ３０が設けられている。
【００４１】
冷凍室１８内部には、庫内温度を測定するための冷凍室用温度センサ（以下、Ｆセンサという）３２が設けられている。
【００４２】
野菜室１６の背面には、冷蔵室用蒸発器（以下、Ｒエバという）が設けられ、このＲエバ３４の上方には冷蔵室用ファン（以下、Ｒファンという）３６が設けられ、Ｒエバ３４の温度を検知するＲエバセンサ３８が設けられている。、Ｒエバ３４の下方には、Ｒエバ３４の除霜を行うための除霜ヒータ（以下、Ｒ除霜ヒータという）４０が設けられている。
【００４３】
冷蔵室１４の内部には、庫内温度を測定するための冷蔵室用温度センサ（以下、Ｒセンサという）４２が設けられている。
【００４４】
キャビネット１２の背面上部には、この冷蔵庫１０が置かれている部屋の温度、すなわち、外気温度を測定するための外気温度センサ５４が設けられている。
【００４５】
そして、これらＦファン２６、Ｆ除霜ヒータ２８、Ｆエバセンサ３０、Ｆセンサ３２、Ｒファン３６、Ｒエバセンサ３８、Ｒ除霜ヒータ４０、外気温度センサ５４及びＲセンサ４２は、マイクロコンピュータよりなる制御装置４４に接続されている。この制御装置４０は１枚の基板よりなり、キャビネット１２の背面上部に設けられている。また、制御装置４４には、圧縮機２０のモータも接続されている。
【００４６】
次に、図１に基づいて冷気の流れを説明する。
【００４７】
Ｆエバ２４によって冷却された冷気は、Ｆファン２６によって送風され冷凍室１８を循環する。また、Ｒエバ３４によって冷却された冷気は、Ｒファン３６によって野菜室１６と冷蔵室１４に送風され循環する。
【００４８】
次に、図２に基づいて、これら冷凍サイクルの構造について説明する。
【００４９】
圧縮機２０には凝縮器４６が接続され、凝縮器４６には三方弁６８が接続されている。三方弁６８から二股に分かれた冷媒流路の一方は、冷蔵室用キャピラリチューブ（以下、Ｒキャピラリチューブという）５０を経てＲエバ３４に接続されている。また、三方弁６８から分かれた他方の冷媒流路は冷凍室用キャピラリチューブ（以下、Ｆキャピラリチューブという）５２に接続されている。そして、Ｆキャピラリチューブ５２とＲエバ３４の冷媒流路は、一つになってＦエバ２４に接続され、さらに圧縮機２０に接続されている。
【００５０】
上記の冷蔵庫１０の動作状態について説明する。
【００５１】
（１．交互冷却運転）
(1) 冷蔵モード
三方弁６８を切り替えて、冷媒が、Ｒエバ３４とＦエバ２４に流れるようにする。そして、Ｒファン３６とＦファン２６をそれぞれ運転させると、冷却された空気は、冷蔵室１４、野菜室１６、冷凍室１８に送り込まれ、これらの部屋が冷却される。以下、この状態を冷蔵モードという。
【００５２】
(2) 冷凍モード
三方弁６８を切り替えて、冷媒がＦキャピラリチューブ５２とＦエバ２４のみに流れるようにする。そして、Ｆファン２６のみを運転させる。この状態では、Ｆエバ２４によって冷却された冷気はＦファン２６によって冷凍室１８のみに送り込まれ、その庫内温度が低下する。そして、冷蔵室１４においては冷気は送り込まれない無冷却となる。以下、この状態を冷凍モードという。冷凍モードの詳細な制御方法については、後から説明する。
【００５３】
(3) 交互冷却運転
そして、冷凍モードと冷蔵モードを交互に行うことを交互冷却運転運転という。
【００５４】
（２．除霜運転）
この冷蔵庫１０において、除霜運転を行う場合には、図２に示す冷凍サイクルの構造から、Ｆエバ２４とＲエバ３４を同時に除霜ヒータ２８，４０で除霜する場合と、Ｆエバ２４のみをＦ除霜ヒータ２８で除霜する場合が考えられる。そして、本実施例の冷蔵庫１０の場合には、Ｆエバ２４の除霜運転を冷凍モードの積算時間が一定時間（例えば１０時間）に到達した場合に行い、そのＦエバ２４の除霜運転の３回に１度の割合で、Ｆエバ２４とＲエバ３４の除霜運転を行うものとする。
【００５５】
（３．冷凍モードにおける制御方法）
次に、上記で説明した交互冷却運転中の冷凍モードにおける制御方法についていくつか説明する。
【００５６】
(1) 第１の制御方法
まず、冷凍モードにおける冷蔵室１４の状態を説明する前に、冷蔵モードにおける冷蔵室１４の状態を説明する。
【００５７】
冷蔵モードにおいてはＲファン３６が回転しているため、Ｒエバ３４で冷却された冷気が冷蔵室１４内部に送り込まれるだけでなく、その送り込まれた冷気により冷蔵室１４内部が撹拌され、その庫内温度は均一となる。したがって、たとえ外気温度が低くても、庫内温度は均一の一定した温度となっている。
【００５８】
これに対し、冷凍モードにおいては、Ｒエバ３４からの冷気を送り込む必要がないため、通常はＲファン３６が停止している。そのため、冷蔵室１４の冷気は撹拌されない。この場合に、例えば、外気温度が低い場合には、撹拌されないことにより、温度分布に斑が生じることになる。
【００５９】
この温度分布の斑を解消するために、Ｒファン３６を回転させて、空気の撹拌を行うものものが第１の制御方法である。この冷蔵モードにおいてＲファン３６を回転させることを「第１冷蔵撹拌モード」という。
【００６０】
第１の制御方法を示したものが図３のフローチャートである。
【００６１】
ステップａ１において、外気温度が所定温度ｔ℃（例えば、１０℃）より低い場合にはステップａ２に進み、そうでない場合にはこの状態を続ける。
【００６２】
ステップａ２において、冷凍モードか否かを判断し、冷凍モードであればステップａ３に進む。
【００６３】
ステップａ３において、Ｒファン３６のみを回転させて、冷蔵室１４の冷気を撹拌し、温度分布を均一とする。
【００６４】
(2) 第２の制御方法
野菜室１６は冷凍室１８と隣接しているため、その熱伝導で野菜室１６の底部が冷却される。そのため、冷蔵室１４と野菜室１６との間に温度斑が生じることとなる。
【００６５】
特に、冷凍室１８の温度が所定温度（例えば、−２５℃）よりも低い場合には、外気温が第１の制御方法における温度ｔより高い場合であっても、その影響により温度斑が発生する。
【００６６】
これを防止するために、冷蔵モードにおいてＲファン３６を回転させる第１冷蔵撹拌モードに入る第２の制御方法を行う。その制御方法を示したものが図４のフローチャートである。
【００６７】
ステップｂ１において、外気温度がｔ１（例えば、１０℃）より低い場合にはステップｂ４に進み、高い場合にはステップｂ２に進む。
【００６８】
ステップｂ２において、外気温度がｔ２（例えば、１２℃）より低い場合にはステップｂ３に進み、そうでない場合にはステップｂ１に戻る。ここで、ｔ２はｔ１よりも高い温度に設定しておく。
【００６９】
ステップｂ３において、隣接する区画である冷凍室１８の温度がｔ３（例えば、−２５℃）より低い場合には、たとえ外気温度が１０℃より低い場合であってもその影響がある。そのために、ステップｂ４に進む。
【００７０】
ステップｂ４において、冷凍モードか否かを判断し、冷凍モードであればステップｂ５に進み、冷蔵モードであればステップｂ１に戻る。
【００７１】
ステップｂ５において、Ｒファン３６を回転させ、冷蔵室１４の冷気を撹拌して庫内温度を均一とする。
【００７２】
(3) 第３の制御方法
第１，２の制御方法の第１冷蔵撹拌モードにおいて、Ｒファン３６の回転数を、冷蔵モードにおける回転数よりも低く設定する。これは、冷凍モードにおけるＲファン３６の運転は上記したように温度分布を改善するためだけのものであり、大量な風量を必要としないためである。
【００７３】
なお、この場合に回転数を落とすだけでなく、断続的に運転させることも同様の効果を得ることができ、また、省エネとなる。また、低速でかつ断続運転を行ってもよい。
【００７４】
(4) 第４の制御方法
上記したように、野菜室１６は隣接する冷凍室１８からの影響により温度が低くなる傾向がある。ところが、野菜室１６に保存される野菜は一般的に２℃〜５℃が適切であり、凍結しないことが重要である。そのため、野菜室１６の温度は少なくとも０℃以上にする必要がある。
【００７５】
したがって、冷凍モードにおいては、野菜室１６の温度低下を防止するために、Ｒ除霜ヒータ４０に通電を行い、かつ、Ｒファン３６を運転させて、Ｒ除霜ヒータ４０によって暖められた空気（以下、暖気という）を野菜室１６に送り込み、庫内温度が０℃以下になるのを防止する。このＲ除霜ヒータ４０とＲファン３６を動作させる状態を、「第２冷蔵撹拌モード」という。
【００７６】
第２冷蔵撹拌モードを終了させるタイミングとしては、Ｒエバ温度センサ３８が、所定温度（例えば、２℃）より高くなった場合に終了させる。これによって、冷蔵室１４及び野菜室１６に必要以上の温度が高い暖気が送り込まれることがないため食品を傷めることがない。
【００７７】
なお、この終了するタイミングとしては、これ以外の方法として第２冷蔵撹拌モードを一定時間（例えば、１時間）のみ動作させるようにしてもよい。
【００７８】
(5) 第５の制御方法
第４の制御方法における野菜室１６を暖める必要性は、外気温度により大きく
異なる。すなわち、外気温度が低い場合には、よりその必要性が多くなるため、冷凍モードになった場合で、かつ、外気温度が所定温度（１０℃）以下になった場合にのみＲ除霜ヒータ４０とＲファン３６を動作させて第２冷蔵撹拌モードに入ってもよい。
【００７９】
(6) 第６の制御方法
第４，５の制御方法の第２冷蔵撹拌モードにおけるＲ除霜ヒータ４０の出力は、除霜運転中におけるＲ除霜ヒータ４０の熱量より小さいものであり、Ｒ除霜ヒータ４０に対する入力値を小さくする必要がある。
【００８０】
そのため、位相制御等によって可変制御可能なＲ除霜ヒータ４０の場合には、入力値を連続的に可変になるようにして最適なヒータ入力にすることが重要である。この制御は、冷蔵室１４の温度が高ければ高いほどヒータの入力を小さくし、逆に冷蔵室１４の温度が低ければ低いほどヒータ入力値を大きくする方法であってもよい。
【００８１】
また、上記のように位相制御等の可変制御が不可能なＲ除霜ヒータ４０の場合には、入力値を断続的に通電させることにより、平均的な入力を下げるようにすればよい。この場合に、断続の一サイクルが短い方が温度変動は小さくなるが、その１サイクルの時間はヒータ及びリレーのＯＮ／ＯＦＦの耐久回数とヒータの通電時間により決定する。
【００８２】
(7) 第７の制御方法
第２冷蔵撹拌モードを行うと、Ｒ除霜ヒータ４０からの暖気により、冷蔵室１４及び野菜室１６の庫内温度が一時的に上昇する。しかし、外気温度が庫内設定温度より低い場合は時間と共に庫内温度は低下する。一方、Ｒ除霜ヒータ４０により一時的に庫内温度が上昇すると、Ｒ温度センサ４２がそれを検知して、冷蔵室１４の温度が上がったものと誤って判断して、冷凍モードから冷蔵モードに切り替える恐れがある。
【００８３】
そのため、図５に示すように第２冷蔵撹拌モードを行っている場合には、冷却開始設定温度を通常の冷却開始設定温度（例えば、４℃）より高い温度（例えば、６℃）に設定しておく。これにより、第２冷蔵撹拌モードにより冷蔵室１４の温度が一時的に上昇しても冷蔵モードに切り替わることがない。
【００８４】
また、外気温度が低い場合に冷蔵室１４の冷却を終了する温度、すなわち、冷凍モードに切り替わる場合の冷却終了設定温度を通常の冷却終了温度より高く設定しておくと、冷蔵室１４及び野菜室１６の庫内温度が必要以上に冷却されないため、外気温度の影響によって必要以上に下がることがない。
【００８５】
(8) 第８の制御方法
第７の制御方法において、冷却開始温度の設定を高くする時間を、第２冷蔵撹拌モードが開始後一定時間にする。
【００８６】
これにより、冷蔵室１４や野菜室１６に温度の高い食品を収納した場合であっても負荷の増大による庫内の温度上昇を速やかに検知して冷凍モードから冷蔵モードに切り替わるため、その庫内温度が異常に上昇するのを抑制できる。
【００８７】
(9) 第９の制御方法
第２冷蔵撹拌モードにおいても、第１冷蔵撹拌モードと同様に、Ｒファン３６は冷蔵室１４及び野菜室１６の冷気を撹拌するためだけであるため、必要以上の風量を必要としないため、低速回転、または、断続的に回転させてもよい。
【００８８】
(10)第１０の制御方法
第５〜９の制御方法においては、Ｒファン３６を正回転で回転させていたが、これを逆回転させてもよい。
【００８９】
この場合には、図１に示す空気の流れとは逆の方向の方に暖気が流れるため、より確実に冷蔵室１４及び野菜室１６の冷気を暖気によって撹拌することが可能となる。
【００９０】
（４．変更例）
なお、上記冷蔵庫の冷凍サイクルとしては、図２に示すもので説明したが、これに代えて、図６に示すようにＲエバ３４とＦエバ２４とを並列に設けて、交互冷却運転を行う場合であっても同様の効果を得ることができる。
【００９１】
また、図７に示すように、キャピラリチューブ５１とＲエバ３４とＦエバ２４を直列にした冷凍サイクルであっても、同様の効果を得ることができる。
【００９２】
【発明の効果】
以上により本発明の冷蔵庫であると、外気温度が低かったり隣接する冷凍室の温度の影響により冷蔵室の温度分布に斑が生じても、これを解消して均一な温度分布とすることができ、また、特別なヒータを設けることなく、冷蔵室の温度が異常に下がることを防止することができる。
【図面の簡単な説明】
【図１】本実施例の冷蔵庫の説明図である。
【図２】本実施例の冷蔵庫の冷凍サイクルの説明図である。
【図３】第１の制御方法のフローチャートである。
【図４】第２の制御方法のフローチャートである。
【図５】第７の制御方法のタイミングチャートである。
【図６】冷凍サイクルの変更例の説明図である。
【図７】冷凍サイクルの他の変更例の説明図である。
【図８】従来の冷蔵庫の縦断面図である。
【図９】従来の冷蔵庫の冷気の流れを示す図面である。
【符号の説明】
１０  冷蔵庫
２０  圧縮機
２４  Ｆエバ
３０  Ｆエバセンサ
３４  Ｒエバ
３８  Ｒエバセンサ
４４  制御装置
６８  三方弁
【図１】
0003560315.tif 000002
【図２】
0003560315.tif 000003
【図３】
0003560315.tif 000004
【図４】
0003560315.tif 000005
【図５】
0003560315.tif 000006
【図６】
0003560315.tif 000007
【図７】
0003560315.tif 000008
【図８】
0003560315.tif 000009
【図９】
0003560315.tif 000010